(57)【要約】【課題】ゲートを切り落とす際の失敗を減らすことができ、かつ、静電気による基板の破壊を防止することができる遊技機を提供する。【解決手段】ゲートと接する部分に、湾曲する面の一部を平坦状に形成した平坦面４５５を有する樹脂製の部材４５１と、電子部品を備える基板２００と、基板２００に対して樹脂製の部材４５１を挟んで反対側に配置され、遊技者が触れることが可能な位置に導電性を有する導電部５５０を備える装飾部材５００と、導電部５５０から平坦面４５５の近傍を通り基板２００に向かう放電の経路を遮るように配置された非導電性の壁部３５１と、を備えるので、ゲートを切り落とす際の失敗を減らすことができ、かつ、静電気による基板２００の破壊を防止することができる。【選択図】図１１
2018143684.tif 000002
【特許請求の範囲】
【請求項１】
ゲートと接する部分に、湾曲する面の一部を平坦状に形成した平坦面を有する樹脂製の部材と、
電子部品を備える基板と、
前記基板に対して前記樹脂製の部材を挟んで反対側に配置され、遊技者が触れることが可能な位置に導電性を有する導電部を備える装飾部材と、
前記導電部から前記平坦面の近傍を通り前記基板に向かう放電の経路を遮るように配置された非導電性の壁部と、
を備えることを特徴とする遊技機。
【発明の詳細な説明】
【技術分野】
【０００１】
本発明は、遊技機に関する。
【背景技術】
【０００２】
スロットマシンやパチンコ遊技機等の遊技機では、樹脂製の部材を用いることがある。このような樹脂製の部材は、例えば、特許文献１や特許文献２に示すように、金型に樹脂を流し込むことにより作られる。１つの金型で複数の部材を成形する場合、これらの複数の部材は、いわゆるゲートによって複数の部材どうしが連結された状態で成形されるので、個々の部材からゲートをニッパー等により切り落とす必要がある。
【０００３】
また、遊技機のデザイン性を高めるために、レンズや、装飾用の部材等、遊技者の目に触れる部材に、金属を蒸着したり、金属製の部材を用いたりすることがある。そして、このような金属が蒸着された部材や金属製の部材は、導電性を有することがある。
【先行技術文献】
【特許文献】
【０００４】
【特許文献１】特開２００２−００１７６２
【特許文献２】特開２００５−０５８６７１
【発明の概要】
【発明が解決しようとする課題】
【０００５】
ところで、部材のゲートと接する面（ゲート面）が湾曲している場合、ゲートを部材から綺麗に切り落とす際に湾曲した面に沿って切り落とさなければならないため、切り落とすのが難しく、部材を傷つけてしまうおそれがある。
【０００６】
また、導電性のある部材が遊技者の触れることができる位置にある場合、遊技者がこの部材に触れたときに、この部材を介して静電気が遊技機内部の基板に伝わり、基板が破壊されるおそれがある。
【０００７】
本発明は、前記事情に鑑みてなされたもので、ゲートを切り落とす際の失敗を減らすことができ、かつ、静電気による基板の破壊を防止することができる遊技機を提供することを目的とする。
【課題を解決するための手段】
【０００８】
前記目的を達成するために、本発明の遊技機は、ゲートと接する部分に、湾曲する面の一部を平坦状に形成した平坦面を有する樹脂製の部材と、電子部品を備える基板と、前記基板に対して前記樹脂製の部材を挟んで反対側に配置され、遊技者が触れることが可能な位置に導電性を有する導電部を備える装飾部材と、前記導電部から前記平坦面の近傍を通り前記基板に向かう放電の経路を遮るように配置された非導電性の壁部と、を備えることを特徴とする。
【０００９】
このような構成によれば、樹脂製の部材は、ゲートと接する部分に、湾曲する面の一部を平坦状に形成した平坦面を有するので、ゲートを樹脂製の部材から切り落とす際に、真っ直ぐにゲートを切り落とすことができる。したがって、ゲートを部材から切り落とすのが容易であり、ゲートを切り落とす際の失敗を減らすことができる。
【００１０】
また、導電部から平坦面の近傍を通り基板に向かう放電の経路を遮るように配置された非導電性の壁部を備えるので、平坦面の近傍を通り基板に向かう放電の経路を長くすることができる。したがって、静電気による基板の破壊を防止することができる。
【発明の効果】
【００１１】
本発明の遊技機によれば、ゲートを切り落とす際の失敗を減らすことができ、かつ、静電気による基板の破壊を防止することができる。
【図面の簡単な説明】
【００１２】
【図１】本発明の実施の形態に係る遊技機の一例を示すもので、その斜視図である。
【図２】同、照明装置を示す分解斜視図である。
【図３】同、基板を示すもので、前側から見た斜視図である。
【図４】同、ベース部材を示すもので、前側から見た斜視図である。
【図５】同、リフレクタを示すもので、前側から見た斜視図である。
【図６】同、リフレクタを示すもので、後側から見た断面図である。
【図７】同、装飾部材を示すもので、後側から見た斜視図である。
【図８】同、レンズユニットを示すもので、前側から見た分解斜視図である。
【図９】同、レンズユニットを示すもので、後側から見た分解斜視図である。
【図１０】同、照明装置下部における、静電気の放電経路を説明するための図である。
【図１１】同、照明装置中心部における、静電気の放電経路を説明するための図である。
【発明を実施するための形態】
【００１３】
以下、本発明の実施の形態について図面を参照して説明する。本実施の形態は本発明を遊技機の一つであるスロットマシンに適用した場合を例にとって説明するが、本発明はスロットマシンに限ることなく、その他の遊技機に適用してもよい。
なお、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１４】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１５】
また、筐体１の正面には、筐体１の正面開口部を開閉可能に閉塞する前扉３が設けられており、この前扉３は、前記開口上部を開閉可能に閉塞する上扉３０と、前記開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００１６】
図１に示すように、上扉３０の下部には表示窓３１が設けられている。この表示窓３１は上側ほど後側に向かうように水平面に対して傾斜して設けられ、この表示窓３１の奥には、前記３個の回転リールが横一列に設けられている。各回転リールの外周面には複数種類の図柄が配列されており、回転リールが停止すると表示窓３１を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の上部には、表示窓３１より大きい表示窓３２がほぼ鉛直に設けられている。この表示窓３２は上扉３０に設けられた液晶表示パネルを有する表示ユニットの表示面を見るために設けられたものであり、この表示ユニットでは、その表示面に遊技機における演出用の画像が表示されるようになっている。
また、上扉３０の表示窓３２の上部には、報知や演出などを行うための照明装置３５が設けられている。また、上扉３０の左右両側部には、報知や演出などを行うための照明装置３８が合計４個設けられている。
【００１７】
また、上扉３０は、筐体１内に設けられた交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００１８】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０に分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００１９】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２０】
また、下扉４０の下部には、スロットマシン内部よりメダルを排出するためのメダル払い出し口と、メダル払い出し口から排出されたメダルを溜めておくためのメダル受け皿４３とが設けられている。また、操作部５０とメダル受け皿４３との間には液晶表示パネル４５が取り付けられている。また、この液晶表示パネル４５の左右両側にはそれぞれ報知や演出などを行うための照明装置４６が設けられている。
【００２１】
照明装置３５は、図２に示すように、ベース部材１００と、基板２００と、リフレクタ３００（中間部材）と、レンズユニット４００と、装飾部材５００と、クリアカバー６００と、左側レンズ６０１と、右側レンズ６０２と、を備えている。
【００２２】
基板２００は、図３に示すように、表面２００ａに複数のＬＥＤ２０１（電子部品）を備えた略長方形板状の照明基板（電子基板）であり、板面を前後方向に向けた状態で配置されている。また、基板２００は、裏面２００ｂにも複数の電子部品を備えている。また、基板２００の裏面２００ｂには、コネクタが左右に離間して複数設けられており、このコネクタに配線を接続することで、基板２００に電源を供給したり、制御信号を送ったりすることができるようになっている。
【００２３】
また、基板２００の中央部下側には、リフレクタ３００のボス３２０（図６参照）を挿通させるための穴であるボス挿通孔２０３が左右に離間して２つ設けられている。また、基板２００には、上縁から下側に向けて切り欠いた、２つの切欠部２０４が左右に離間して設けられている。また、基板２００の左右両端部には、ネジを挿通させるための穴であるネジ挿通孔２０５が１つずつ設けられている。
【００２４】
ベース部材１００は、透光性を有しない黒色の合成樹脂によりすべての部材が一体的に成形されている。
ベース部材１００は、図４に示すように、略長方形板状の背面板１０１と、この背面板１０１の上下左右の各辺部から背面板１０１に対して直角に前方に向けて延びる板状の上板１０２、下板１０３、左板１０４および右板１０５と、を備えている。また、上板１０２と下板１０３と左板１０４と右板１０５とは、隣接する板どうしが隙間なく並べられており、これらによって正面視略矩形環状の環状壁が形成されている。そして、背面板１０１、上板１０２、下板１０３、左板１０４および右板１０５により、正面側が開口した薄型の略直方体箱状の基板収容部１０６が形成されており、基板２００が、この基板収容部１０６の内側に収容されるようになっている。
【００２５】
背面板１０１の前側を向いた面（背面板正面１０１ａ）には、前方に突出するようにして、４つの円筒状突出部１０７が設けられている。また、４つの円筒状突出部１０７の底部中心には、ネジを通すための穴であるネジ挿通孔１０７ａが設けられている。また、背面板正面１０１ａの左右両端部には、前方に突出するようにしてボス１０８が１つずつ設けられている。また、背面板正面１０１ａには、前方に突出するようにして複数の突出壁１０９が設けられている。また、４つの円筒状突出部１０７と２つのボス１０８と突出壁１０９の前端面（突出方向先端の面）は、面一となっている。また、背面板１０１には、ベース部材１００に取り付けられた基板２００のコネクタを露出させるための穴である露出穴１１０が左右に離間して３つ設けられている。
【００２６】
そして、基板２００は、基板２００の２つのネジ挿通孔２０５それぞれに挿通されたネジが、ベース部材１００の２つのボス１０８それぞれのネジ孔にねじ込まれることで、ベース部材１００に取り付けられている。また、基板２００の裏面２００ｂは、４つの円筒状突出部１０７、２つのボス１０８および突出壁１０９の前端面に当接した状態となっている。また、背面板１０１と、基板２００の裏面２００ｂとの間には、隙間があり、この隙間に基板２００の裏面２００ｂに設けられた電子部品が収まっている。
また、基板２００は、基板２００の表面２００ａおよび表面２００ａに設けられたＬＥＤ２０１が、上板１０２、下板１０３、左板１０４および右板１０５の前端面よりも後側に位置した状態で、基板収容部１０６の内側に収容されている。換言すると、上板１０２、下板１０３、左板１０４および右板１０５は、全範囲にわたり前端面が基板２００よりも前方に突出している。
また、基板２００のコネクタは、露出穴１１０から露出しており、ベース部材１００の裏側から、基板２００に配線を繋ぐことができるようになっている。
【００２７】
また、ベース部材１００は、下板１０３の下側に、下板１０３に沿うようにして設けられた板状の第二下板１１３を備えている。第二下板１１３の中央部は、下板１０３と平行な平行板状部１１４となっている。また、平行板状部１１４は、上面側の前端部が下方に向けて凹むようにして形成された肉薄な肉薄部１１４ａを備えており、これによって、該前端部とこの後側の部分との間に段差（段差部１１４ｂ）が形成されている。また、平行板状部１１４の前端縁および段差部１１４ｂは、下板１０３の前端縁よりも前側に位置している（図１０参照）。また、第二下板１１３の左右両端部は、下方に向けて膨出した膨出部１１５となっている。
第二下板１１３は、背面板１０１から下方に向けて延出した延出部１１６（図１０参照）を介して下板１０３と繋がれており、下板１０３と第二下板１１３の平行板状部１１４と延出部１１６とにより、前側が開口した断面コ字状の凹溝１１７が形成されている。また、凹溝１１７には、左右に離間して２つの板状部１１８が、板面を左右に向けた状態で設けられている。また、板状部１１８の前端部は、凹溝１１７の開口端よりも後側に位置している。
【００２８】
リフレクタ３００は、図５および図６に示すように、略長方形板状のリフレクタ本体３０１を備えている。またリフレクタ本体３０１の板面は前後方向に向けられている。
リフレクタ本体３０１の中央部には、ＬＥＤ２０１からの光を通すための円形の穴である中央光通過部３０２が設けられている。また、リフレクタ本体３０１の中央部には、中央光通過部３０２を囲うように、かつ、前方に突出するようにして、前方視円環状の壁部である中央反射用壁部３０３が立設されている。また、中央反射用壁部３０３の前端面は、レンズユニット４００と当接する当接面３５０となっている。また、中央反射用壁部３０３の前端部左右両側には、中央反射用壁部３０３の径方向内側に突出するようにして、装飾部材５００から基板２００への静電気の通過を妨げる板状の静電気通過防止壁３５１が、中央反射用壁部３０３と一体的に設けられている。そして、当接面３５０と中央反射用壁部３０３とは、面一となっており、１つの平坦面を形成している。また、静電気通過防止壁３５１によって、中央光通過部３０２と中央反射用壁部３０３とによって形成された前方視円形の穴は、前方視において円の左右両端部が切り欠かれた形状となっている。
【００２９】
また、リフレクタ本体３０１の中央光通過部３０２を挟んで左右両側には、ＬＥＤ２０１からの光を通すための穴である左側光通過部３０４、右側光通過部３０５が、それぞれ設けられている。また、リフレクタ本体３０１には、左側光通過部３０４と右側光通過部３０５それぞれを囲うように、かつ、前方に突出するようにして、左側反射用壁部３０６および右側反射用壁部３０７が立設されている。また、左側反射用壁部３０６と右側反射用壁部３０７とは、それぞれ、リフレクタ本体３０１よりも左右方向外側に突出した状態となっている。また、左側反射用壁部３０６の外周の形状は、左側レンズ６０１の外周の形状と略一致しており、右側反射用壁部３０７の外周の形状は、右側レンズ６０２の外周の形状と略一致している。そして、左側反射用壁部３０６から左側光通過部３０４にかけて、内周の形状が左側レンズ６０１の外周の形状に沿った１つの穴が形成されており、右側反射用壁部３０７から右側光通過部３０５にかけて、内周の形状が右側レンズ６０２の外周の形状に沿った１つの穴が形成されている。なお、より具体的には、左側反射用壁部３０６または右側反射用壁部３０７に囲われた領域の面積は、左側反射用壁部３０６または右側反射用壁部３０７が、リフレクタ本体３０１から外側に突出している分だけ、左側光通過部３０４または右側光通過部３０５の穴の面積よりも若干大きくなっている。
【００３０】
リフレクタ３００は、透光性を有しない白色の合成樹脂によりすべての部材が一体的に成形されている。そして、中央反射用壁部３０３、左側反射用壁部３０６および右側反射用壁部３０７は、それぞれ中央光通過部３０２、左側光通過部３０４または右側光通過部３０５を通過してきたＬＥＤ２０１からの光が、レンズユニット４００、左側レンズ６０１または右側レンズ６０２に向かうように光を反射するようになっており、ＬＥＤ２０１からの光が各レンズに向けて集光されるようになっている。
【００３１】
また、リフレクタ本体３０１の裏面３０１ｂには、上縁ならびに左縁および右縁の一部から後方に突出するようにして、断面コ字状の板状のコ字状壁部３１０が設けられている。また、リフレクタ本体３０１には、下縁から後側に突出するようにして、左右に長尺な板状の下側壁部３１１が設けられている。また、リフレクタ本体３０１には、下側壁部３１１よりも上方であって、リフレクタ本体３０１の左右方向中央部に、下側壁部３１１と平行で、下側壁部３１１と所定間隔離れた壁部である内側壁部３１２が設けられている。そして、下側壁部３１１と、内側壁部３１２と、これらを繋ぐリフレクタ本体３０１の一部と、によって、後側が開口した断面コ字状の凹溝３１３が形成されている。また、内側壁部３１２の後端縁は、下側壁部３１１の後端縁よりも後側に位置している（図１０参照）。すなわち、内側壁部３１２は、凹溝３１３の底からの高さが下側壁部３１１よりも高い壁部となっている。
【００３２】
また、リフレクタ本体３０１の裏面３０１ｂには、後方に突出するようにして、４つのボス３２０が設けられている。また、リフレクタ本体３０１には、上下左右に離間して、４つのネジ挿通孔３２１が設けられている。また、リフレクタ本体３０１の裏面３０１ｂには、下側のネジ挿通孔３２１を中心とする背面視円形の凹所３２２が形成されており、この凹所の一部が内側壁部３１２の一部にかかることで、内側壁部３１２の一部が切り欠かれた状態となっている。
【００３３】
装飾部材５００は、装飾用の部材であって、図７に示すように、後側が開口した略長方形箱状をしている。また、装飾部材５００は、この略長方形箱状の上面部を構成する上板５００ａと、下面部を構成する下板５００ｂと、を備えている。また、下板５００ｂは、下面側中央部の後端部が上方に向けて凹むようにして形成された肉薄な肉薄部５００ｃを備えており、これによって、該後端部とこの前側の部分との間に段差（段差部５００ｄ）が形成されている（図１０参照）。
【００３４】
また、装飾部材５００には、中央部に、レンズユニット４００を挿入するための円形の穴であるレンズユニット挿入穴５０１が設けられている。また、装飾部材５００には、レンズユニット挿入穴５０１を挟んで左右両側にそれぞれ、左側レンズ取付部５０２および右側レンズ取付部５０３が設けられている。
左側レンズ取付部５０２は、内周の形状が左側レンズ６０１の外周の形状と略一致する穴を備えている。また、右側レンズ取付部５０３は、内周の形状が右側レンズ６０２の外周の形状と略一致する穴を備えている。また、左側レンズ取付部５０２および右側レンズ取付部５０３には、それぞれ、左側レンズ６０１または右側レンズ６０２が取り付けられるようになっている。そして、左側レンズ６０１および右側レンズ６０２は、それぞれ、左側レンズ取付部５０２または右側レンズ取付部５０３に、これらが備える穴を埋めるようにして取り付けられている。
また、装飾部材５００の裏面であって、レンズユニット挿入穴５０１の上部および左下部には、それぞれ、突起状の係合部５０４が設けられている。
また、装飾部材５００の裏面には、リフレクタ３００を固定するための４つのボス５１０が上下左右に離間して設けられている。
【００３５】
装飾部材５００は、合成樹脂によって成形されているとともに、遊技者から視認可能な部分（外面）ほぼ全体に導電性を有する金属が蒸着されている。具体的には、装飾部材５００の前側の面５２０、上側の面５２１、下側の面５２２、左側の面５２３および右側の面５２４（図２参照）に金属蒸着が施されている。また、レンズユニット挿入穴５０１の内周面５０１ａ、左側レンズ取付部５０２の内周面５０２ａおよび右側レンズ取付部５０３の内周面５０３ａにも金属蒸着が施されている。また、それぞれの金属蒸着部は、互いに繋がっている。すなわち、装飾部材５００には、外側の面（遊技者に視認可能な部分）全体にわたり導電性を有する金属が蒸着されており、外側の面全体が導電性を有する導電部５５０となっている。
このため、例えば、装飾部材５００の上側の面５２１から下側の面５２２やレンズユニット挿入穴５０１の内周面５０１ａ等まで電気が流れることができるようになっている。
なお、装飾部材５００に蒸着された金属は、デザイン性を高める装飾用のものであるが、蒸着以外のめっき加工により金属が塗布されていてもよく、また、装飾部材５００の一部または全体が金属素材により形成されていてもよい。
【００３６】
レンズユニット４００は、図８および図９に示すように、アウターレンズ４０１とインナーレンズ４５１とを備えている。
アウターレンズ４０１は、透光性を有する白色の合成樹脂により一体的に成形されており、中がくり抜かれた半球状（ドーム状）のアウターレンズ本体４０２と、このアウターレンズ本体４０２の径方向外側に張り出すようにして設けられたフランジ部４０３と、を備えている。また、アウターレンズ本体４０２の表面には、多数の円形の凹部が設けられている。また、フランジ部４０３は、背面視において外径が略円形であり、中心部にアウターレンズ本体４０２が設けられた略円板状（略ドーナツ板状）となっている。また、フランジ部４０３には、上側部分と左下側部分をフランジ部４０３の径方向内側に向けて切り欠くようにして、装飾部材５００の係合部５０４と係合する被係合部４０４が設けられている。また、フランジ部４０３には、下側部分と右上側部分に、後方に向けて突出した突起状の係合部４０５が設けられている。また、フランジ部４０３は、円板の左右両端部が上下に真っ直ぐ切り落とされたような（切り欠かれた）形状となっており、左右両端面が真っ直ぐな平坦面４０６となっている。
【００３７】
アウターレンズ４０１は、射出成形により成形される。
平坦面４０６は、アウターレンズ４０１を成形する際に、樹脂が流し込まれる部分に設けられており、１つの金型で成形される複数の部材（同一種類の部材の場合もあれば、異なる種類の部材の場合もある）どうしを連結するいわゆる「ゲート」と接する面（ゲート面）となっている。すなわち、アウターレンズ４０１は、湾曲する側端面の一部を平坦状に形成した真っ直ぐな平坦面４０６を備えており、平坦面４０６がアウターレンズ４０１の成形時にゲートと接するゲート面となっている。また、平坦面４０６は、ゲートに対して略直角に接するようになっている。
【００３８】
インナーレンズ４５１は、透明な合成樹脂により一体的に成形されており、略円板状のインナーレンズ本体４５２と、このインナーレンズ本体４５２の径方向外側に張り出すようにして設けられたフランジ部４５３とを備えている。インナーレンズ本体４５２は多数の凹凸部を備えており、この凹凸部により、ＬＥＤ２０１からの光を様々な方向に反射、屈折させることができるようになっている。また、フランジ部４５３は、背面視において外径が略円形であり、中心部にインナーレンズ本体４５２が設けられた略円板状（略ドーナツ板状）となっている。また、フランジ部４５３には、下側部分と右上側部分をフランジ部４５３の径方向内側に向けて切り欠くようにして、アウターレンズ４０１の係合部４０５と係合する被係合部４５４が設けられている。また、フランジ部４５３は、円板の左右両端部が上下に真っ直ぐ切り落とされたような（切り欠かれた）形状となっており、左右両端面が真っ直ぐな平坦面４５５となっている。
【００３９】
インナーレンズ４５１は、射出成形により成形される。
インナーレンズ４５１は、湾曲する側端面の一部を平坦状に形成した真っ直ぐな平坦面４５５を備え、この平坦面４５５がアウターレンズ４０１の平坦面４０６と同様に、インナーレンズ４５１の成形時にゲートと接するゲート面となっており、平坦面４５５は、ゲートに対して略直角に接するようになっている。
【００４０】
アウターレンズ４０１とインナーレンズ４５１とは、アウターレンズ４０１の係合部４０５とインナーレンズ４５１の被係合部４５４とが係合することで一体化している。また、アウターレンズ４０１のフランジ部４０３の背面とインナーレンズ４５１のフランジ部４５３の前面とは、互いに当接している。また、両フランジ部４０３，４５３の湾曲する側端面が面一となっているとともに、両フランジ部４０３，４５３の平坦面４０６，４５５が面一となっている。また、インナーレンズ本体４５２は、前面がアウターレンズ本体４０２に覆われている。
レンズユニット４００は、アウターレンズ４０１とインナーレンズ４５１とが一体化された状態で、装飾部材５００のレンズユニット挿入穴５０１にドーム状に突出したアウターレンズ本体４０２が挿入されるとともに、装飾部材５００の係合部５０４とアウターレンズ４０１の被係合部４０４とが係合することで、装飾部材５００に取り付けられている。
【００４１】
装飾部材５００とリフレクタ３００とは、リフレクタ３００の４つのネジ挿通孔３２１それぞれに挿通されたネジそれぞれが装飾部材５００の４つのボス５１０それぞれのネジ孔にねじ込まれることにより、レンズユニット４００を間に挟み込んだ状態で、互いに固定されている。また、アウターレンズ４０１のフランジ部４０３の前面が、装飾部材５００のレンズユニット挿入穴５０１の周縁部と当接しているとともに、インナーレンズ４５１のフランジ部４５３の背面が、リフレクタ３００の中央反射用壁部３０３の当接面３５０および静電気通過防止壁３５１と当接している。また、インナーレンズ４５１の平坦面４５５と、リフレクタ３００の静電気通過防止壁３５１とは、互いの面方向どうしが直交（交差）している。
すなわち、アウターレンズ４０１とインナーレンズ４５１とは、装飾部材５００とリフレクタ３００とによって挟まれることにより、前後方向の動きが制限されているとともに、装飾部材５００の係合部５０４とアウターレンズ４０１の被係合部４０４、アウターレンズ４０１の係合部４０５とインナーレンズ４５１の被係合部４５４がそれぞれ係合することにより、周方向に回転しないように動きが制限されている。
【００４２】
また、リフレクタ３００は、４つのボス３２０が、ベース部材１００の４つの円筒状突出部１０７それぞれに挿入され、ベース部材１００の後側から、ネジ挿通孔１０７ａに挿通されたネジがボス３２０のネジ孔にねじ込まれることで、ベース部材１００に固定されている。また、基板２００は、ベース部材１００とリフレクタ３００とに囲われており、リフレクタ３００の４つのボス３２０は、基板２００のボス挿通孔２０３または切欠部２０４に挿通された状態となっている。
また、リフレクタ３００のボス３２０の先端面が、ベース部材１００の円筒状突出部１０７の底部と当接するとともに、リフレクタ３００のコ字状壁部３１０が、ベース部材１００の背面板正面１０１ａと当接しており、リフレクタ３００と基板２００との間には、所定の間隔が設けられ、リフレクタ３００と基板２００とは接していない状態となっている。また、リフレクタ３００のコ字状壁部３１０は、ベース部材１００の上板１０２、左板１０４および右板１０５に沿うようにしてベース部材１００の内側に配置されている。
【００４３】
また、図１０に示すように、ベース部材１００の凹溝１１７にリフレクタ３００の下側壁部３１１が挿入されているとともに、リフレクタ３００の凹溝３１３にベース部材１００の下板１０３が挿入されている。また、ベース部材１００の下板１０３の前端面は、リフレクタ３００の凹溝３１３の底部と当接または近接している。
また、基板２００は、リフレクタ３００の凹溝３１３よりも上方に位置している。
【００４４】
また、ベース部材１００の上板１０２の前端面と、装飾部材５００の上板５００ａの後端面とは互いに当接している。また、ベース部材１００の平行板状部１１４の肉薄部１１４ａの上側に、装飾部材５００の下板５００ｂの肉薄部５００ｃが位置するようにして、互いの肉薄部が上下方向において重なり合っているとともに、ベース部材１００の平行板状部１１４の前端面が装飾部材５００の下板５００ｂの段差部５００ｄに当接し、装飾部材５００の下板５００ｂの後端面がベース部材１００の平行板状部１１４の段差部１１４ｂに当接している。
【００４５】
そして、基板２００、リフレクタ３００およびレンズユニット４００は、ベース部材１００と装飾部材５００とに覆われ、ベース部材１００と装飾部材５００との間に収容されている。すなわち、リフレクタ３００は、ベース部材１００と装飾部材５００との間に配置された中間部材となっている。
【００４６】
装飾部材５００の前面側には、レンズユニット４００を覆うようにして、クリアカバー６００が設けられている。クリアカバー６００は、透明の合成樹脂により成形されており、クリアカバー６００を通して、遊技者がレンズユニット４００を視認可能な状態となっている。また、クリアカバー６００の前面側の一部には、金属蒸着による装飾が施されている。
【００４７】
そして、ＬＥＤ２０１から出射され、リフレクタ３００を通過し、レンズユニット４００に到達した光は、レンズユニット４００およびクリアカバー６００を透過して遊技者に届くようになっている。また、ＬＥＤ２０１から出射され、リフレクタ３００を通過し、左側レンズ６０１または右側レンズ６０２に到達した光は、左側レンズ６０１または右側レンズ６０２を透過して遊技者に届くようになっている。
また、装飾部材５００の外面であって、クリアカバー６００に覆われていない部分は、スロットマシンＭの外側に露出しているので、遊技者等が触れることができるようになっている。
【００４８】
次に照明装置３５の下部における電気の放電経路について図１０を参照しながら説明する。図１０は、照明装置３５の右側から見た断面の一部を拡大した図である。
装飾部材５００には、金属蒸着が施されているため、遊技者がこの金属蒸着部（導電部５５０）に触れた際等に、遊技者の体等から導電部５５０を介して基板２００に向けて電気（静電気）が流れるおそれがある。そして、この電気が流れることによって、基板２００（電子部品）が破壊されるおそれがある。この電気は、導電部５５０から基板２００までの距離が長いほど流れにくく、例えば、２０ｋＶ程度の耐圧（基板（電子部品）が破壊されることなく耐えることができる電圧）を得るためには、２０ｍｍ程度の距離をとることが望ましい。すなわち、所望の耐圧を得るためには、導電部５５０から基板２００までの距離が所定の距離以上となるようにする必要がある。より具体的には、導電部５５０から基板２００に向かう電気は、例えば、基板２００に備えられたＬＥＤ２０１等の電子部品の端子部分や、基板上の配線がむき出しとなっている部分等の電気が流れやすい部分に向けて流れるが、導電部５５０からこの流れやすい部分への距離を、所望の耐圧に対して所定の距離以上にする必要がある。
【００４９】
本実施の形態の遊技機においては、リフレクタ３００の凹溝３１３とベース部材１００の下板１０３とにより、導電部５５０から基板２００までの放電経路が長くなっている。
前述のように、リフレクタ３００の凹溝３１３には、ベース部材１００の下板１０３が挿入されており、下板１０３の前端面は、凹溝３１３の底部と当接または近接している。そして、凹溝３１３と下板１０３とによって、断面略Ｕ字状（略コ字状）の、電気が通過する経路Ｌが形成されている。なお、図１０に示すように下板１０３の前端面と凹溝３１３の底部とが当接するような状態であっても、実際には多くの場合、電気が通過できる程度のわずかな隙間がある。
また、下板１０３と凹溝３１３とは、導電部５５０と基板２００との間に配置されている。
【００５０】
また、ベース部材１００およびリフレクタ３００は、合成樹脂により形成されているため、非導電性となっている。すなわち、ベース部材１００の下板１０３は非導電性であり、また、この下板１０３を覆う凹溝３１３は、リフレクタ３００の非導電性の下側壁部３１１と、内側壁部３１２と、これらを繋ぐリフレクタ本体３０１の一部とにより形成されている。このため、下板１０３は、導電部５５０から基板２００に向かう電気の放電経路を遮る壁部として働き、照明装置３５の下部において、導電部５５０から基板２００に向かう電気Ａは、図１０に矢印で示すように、下板１０３および凹溝３１３の内壁部を避けるように、下板１０３と凹溝３１３とによって形成された断面略Ｕ字状の経路Ｌを通過することになる。
つまり、下板１０３および凹溝３１３は、導電部５５０から基板２００への放電経路を遮るように配置されており、下板１０３および凹溝３１３付近を通過する電気Ａは、これらによって形成された経路Ｌを回り込むようにして通過するため、これらが無い場合に比べ放電経路が延ばされていることになる。
したがって、導電部５５０から基板２００への放電経路を所定の長さ以上に長くすることができ、基板２００の破壊を防ぐことができる。
【００５１】
また、経路Ｌによって稼がれている放電経路の長さは、経路Ｌの一方の端部から下板１０３の先端までと、下板１０３の先端から経路Ｌの他方の端部までとの往復分の長さ以上の長さとなる。すなわち、経路Ｌによって、経路Ｌの凹溝３１３の深さ方向における長さ（下板１０３の突出方向における長さ）の２倍、放電経路が稼がれている。したがって、省スペースで放電経路を所望の長さにすることができる。
また、経路Ｌの凹溝３１３の深さ方向における長さを長くすることで、導電部５５０から基板２００までの放電経路を延ばすことができるが、このとき延びる距離は、経路Ｌの凹溝３１３の深さ方向における長さの長くなった分の２倍の距離となるので、省スペースで、放電経路を延ばすことができる。
また、下板１０３が凹溝３１３に覆われているため、下板１０３の先端付近から基板２００に直線的に電気が伝わるのを防ぎ、電気の伝わる距離を長くすることができる。
【００５２】
また、基板２００を支持するベース部材１００と、光を所定方向に導き、光が不必要な部分に漏れるのを防ぐリフレクタ３００との、照明装置３５に必要な部材によって、放電経路を長くし、静電気による破壊を防いでいるので、静電気による破壊を防ぐための他の部材を用意する必要がなく、省スペースで静電気による破壊を防ぐことができる。
また、凹溝３１３が下板１０３を覆っているので、ベース部材１００やリフレクタ３００が上下方向に動いてしまうのを防ぐことができる。このため、凹溝３１３と下板１０３とを、ベース部材１００とリフレクタ３００とを互いに係止するために利用することもでき、別途係止用の部材や位置決め用の部材を備える必要がなくなるので、部品点数を減らし、照明装置３５を小型化することができる。
【００５３】
なお、下板１０３と凹溝３１３とは、リフレクタ３００が下板１０３を備え、ベース部材１００が凹溝３１３を備えることとしてもよい。
また、装飾部材５００の金属蒸着部と基板２００との間に、下板１０３や凹溝３１３が存在せず、下板１０３および凹溝３１３によって、放電経路が遮られていない部分もあるが、このような部分は、下板１０３および凹溝３１３によって放電経路を延ばさなくとも、放電経路が所望の耐圧に対して所定の距離以上となっている部分である。すなわち、下板１０３および凹溝３１３は、これらが無ければ、所望の耐圧に対して必要と考えられる分だけ導電部５５０と基板２００との距離をとれない部分に配置されている。そして、経路Ｌを通る放電経路は、所望の耐圧を得るために必要な所定の距離以上となっているとともに、経路Ｌを通らない放電経路も、所望の耐圧を得るために必要な所定の距離以上となっている。
【００５４】
次に照明装置３５の中心部における電気の放電経路について図１１を参照しながら説明する。ここで、図１１は、照明装置３５を上側から見た断面図である。
前述のように、レンズユニット４００は、アウターレンズ４０１のフランジ部４０３の前面が、装飾部材５００のレンズユニット挿入穴５０１の周縁部と当接しているとともに、インナーレンズ４５１のフランジ部４５３の背面が、リフレクタ３００の中央反射用壁部３０３の当接面３５０および静電気通過防止壁３５１と当接している。アウターレンズ４０１およびインナーレンズ４５１のフランジ部４０３，４５３は、円板状の一部を切り欠いて設けられた平坦面４０６，４５５を有するので（なお、本明細書において「切り欠いて」とは、切り欠いたような形状を意味し、実際に一部が切り取られたもののみならず、樹脂成形によって切り欠いたような形状に成形されたもの等を含む）、この平坦面４０６，４５５近傍を通り、レンズユニット挿入穴５０１の内周面５０１ａの金属蒸着部（導電部５５０）から、基板２００に向かう電気は、フランジ部４０３，４５３にほとんどあるいは全く遮られずに基板２００に向かうことができる。また、レンズユニット挿入穴５０１は円形の穴であり、中央反射用壁部３０３は前方視円環状であるため、平坦面４０６，４５５近傍では、フランジ部４０３とレンズユニット挿入穴５０１の周縁部や、フランジ部４５３と中央反射用壁部３０３の当接面３５０が接していないか、あるいは、わずかにしか接しておらず、導電部５５０から基板２００に向けて電気が直線的に流れてしまうおそれがある。しかし、本実施の形態の遊技機においては、インナーレンズ４５１の平坦面４５５と面方向が直交（交差）する静電気通過防止壁３５１が、中央反射用壁部３０３の径方向内側に突出するようにして設けられているので、導電部５５０から基板２００へ向かう電気Ｂは、図１１に示すように、静電気通過防止壁３５１を避けるようにして基板２００へ向かうこととなる。
【００５５】
つまり、静電気通過防止壁３５１は、導電部５５０から基板２００への放電経路を遮るように配置されており、平坦面４０６，４５５付近を通過する電気Ｂは、図１１に矢印で示すように、静電気通過防止壁３５１を避けるようにして進む必要があるため、静電気通過防止壁３５１が無い場合に比べ放電の経路が延ばされていることになる。したがって、導電部５５０から平坦面４０６，４５５の近傍を通り基板２００に向かう放電経路を所定の長さ以上に長くすることができ、基板２００の破壊を防ぐことができる。
また、本実施の形態の遊技機においては、フランジ部４５３の背面が当接面３５０および静電気通過防止壁３５１と当接しているので、電気Ｂは、静電気通過防止壁３５１まで進んだ後、略直角に曲がって進み、さらに静電気通過防止壁３５１の前端部で略直角に曲がって基板２００に向かう必要がある。したがって、導電部５５０から基板２００までの放電経路をより長くすることができる。
【００５６】
また、静電気通過防止壁３５１は、平坦面４０６，４５５を設けることによってできた（短くなった）電気の放電経路を遮り、導電部５５０と基板２００との間の距離を確保しているともいえる。すなわち、静電気通過防止壁３５１が無い場合、平坦面４０６，４５５を設けることにより、放電経路が短くなってしまい、基板２００が破壊されてしまう可能性が高くなるおそれがあるが、静電気通過防止壁３５１があることにより、平坦面４０６，４５５を設けても放電経路を所定の長さ以上に長くすることができ、基板２００の破壊を防ぐことができる。
【００５７】
また、静電気通過防止壁３５１は、リフレクタ３００に設けられているので、静電気の通過を防止するための他の部材を用意する必要がなく、省スペースで静電気による基板の破壊を防ぐことができる。特に、本実施の形態の遊技機においては、光を所定の方向へ導くための中央反射用壁部３０３内部の空間に向けて突出するように静電気通過防止壁３５１が設けられているので、静電気通過防止壁３５１を設けるためにスペースを設ける必要が無いという利点がある。
また、アウターレンズ４０１およびインナーレンズ４５１は、湾曲する側端面の一部を切り欠いて設けられた平坦面４０６，４５５を有し、この平坦面４０６，４５５がゲートと接するゲート面となっているので、ゲートを切り落とすのが容易であり、ゲートを切り落とす際の失敗を減らすことができる。また、ゲートを切り落とす際の失敗が少ないため、部材を無駄にすることが少なく、製造コストを削減することができる。
【符号の説明】
【００５８】
３５  照明装置
２００  基板
３５１  静電気通過防止壁（壁部）
４００  レンズユニット（樹脂製部材）
４０１  アウターレンズ（樹脂製部材）
４５１  インナーレンズ（樹脂製部材）
４０６，４５５  平坦面
５００  装飾部材
５５０  導電部
【図１】
2018143684.tif 000003
【図２】
2018143684.tif 000004
【図３】
2018143684.tif 000005
【図４】
2018143684.tif 000006
【図５】
2018143684.tif 000007
【図６】
2018143684.tif 000008
【図７】
2018143684.tif 000009
【図８】
2018143684.tif 000010
【図９】
2018143684.tif 000011
【図１０】
2018143684.tif 000012
【図１１】
2018143684.tif 000013